【手続補正書】
【提出日】平成24年1月18日(2012.1.18)
【手続補正１】
【補正対象書類名】特許請求の範囲
【補正対象項目名】全文
【補正方法】変更
【補正の内容】
【特許請求の範囲】
【請求項１】
被験者の腹部の縦幅と横幅とを測定するための第１の測定装置と、
インピーダンスを使用して、被験者の内臓脂肪、皮下脂肪、および除脂肪に関する値である脂肪値を測定するための第２の測定装置と、
前記第１の測定装置および前記第２の測定装置での測定結果に応じた前記被験者の腹部断面画像を特定して表示装置に表示する処理として、前記被験者の腹部の外形に応じた形状と、腹部の脂肪の状態に応じた形状とを表わす腹部断面画像を前記表示装置に表示するための処理を実行するための表示処理装置とを含み、
前記表示処理装置で実行される処理は、
前記第１の測定装置で測定された縦幅と横幅とで規定される楕円形状を決定するための第１の決定処理と、
前記被験者の腹部断面に対する、内臓脂肪量、皮下脂肪量、および除脂肪量のそれぞれの比率に基づいて、前記楕円形状に対する前記内臓脂肪量、前記皮下脂肪量、および前記除脂肪量のそれぞれを表わす楕円形状を決定するための第２の決定処理とを含む、健康管理装置。
【請求項２】
前記表示処理装置で実行される処理は、
前記楕円形状のうちの、前記脂肪値を測定した位置に該当する箇所を補正するための補正処理をさらに含む、請求項１に記載の健康管理装置。
【請求項３】
皮下脂肪と内臓脂肪との割合に関連付けて皮下脂肪を表わす図形のデータを記憶するための第１の記憶装置をさらに含み、
前記補正処理は、前記測定された皮下脂肪と内臓脂肪との割合に関連付けられた図形のデータを前記第１の記憶装置から抽出し、前記データで表わされる皮下脂肪を表わす図形を前記楕円形状のうちの前記測定した位置に該当する箇所に付加することで前記楕円形状を補正する処理を含む、請求項２に記載の健康管理装置。
【請求項４】
腹部の縦幅と横幅とに関連付けて皮下脂肪を表わす図形のデータを記憶するための第２の記憶装置をさらに含み、
前記補正処理は、前記測定された前記被験者の腹部の縦幅と横幅とに関連付けられた図形であって、その面積が、前記測定された内臓脂肪、皮下脂肪、および除脂肪量のそれぞれを表わす面積の総和と前記楕円形状の面積との差分に該当する図形のデータを前記第２の記憶装置から抽出し、前記データで表わされる皮下脂肪を表わす図形を前記楕円形状のうちの前記測定した位置に該当する箇所に付加することで前記楕円形状を補正する処理を含む、請求項２に記載の健康管理装置。
【請求項５】
前記補正処理は、前記第１の決定処理で決定された前記楕円形状のうちの、前記脂肪値を測定した位置に該当する箇所ごとに、前記情報に対応した長さだけ法線方向に移動させることで前記楕円形状を補正する処理を含む、請求項２に記載の健康管理装置。
【請求項６】
被験者の腹部の縦幅と横幅とを測定するための第１の測定装置と、
インピーダンスを使用して、被験者の内臓脂肪、皮下脂肪、および除脂肪に関する値である脂肪値を測定するための第２の測定装置と、
複数の皮下脂肪の撮影画像を被写体の腹部の縦幅と横幅と前記測定された前記被験者の皮下脂肪量に関連した脂肪値とに関連付けて記憶するための第３の記憶装置と、
複数の内臓脂肪の撮影画像を被写体の腹部の縦幅と横幅と前記測定された前記被験者の内臓脂肪量に関連した脂肪値とに関連付けて記憶するための第４の記憶装置と、
前記第１の測定装置および前記第２の測定装置での測定結果に応じた前記被験者の腹部断面画像を特定して表示装置に表示する処理として、前記被験者の腹部の外形に応じた形状と、腹部の脂肪の状態に応じた形状とを表わす腹部断面画像を前記表示装置に表示するための処理を実行するための表示処理装置とを備え、
前記表示処理装置で実行される処理は、
前記測定された前記被写体の腹部の縦幅および横幅と、少なくとも、前記測定された前記被験者の皮下脂肪に関する情報とに基づいて、前記第３の記憶装置から１つの皮下脂肪の撮影画像を抽出する第１の抽出処理と、
前記測定された前記被写体の腹部の縦幅および横幅と、少なくとも、前記測定された前記被験者の内臓脂肪量に関する情報とに基づいて、前記第４の記憶装置から１つの内臓脂肪の撮影画像を抽出する第２の抽出処理と、
前記第１の抽出処理で抽出された撮影画像と、前記第２の抽出処理で抽出された撮影画像とに基づいて前記腹部断面画像として表示させるための処理とを含む、健康管理装置。
【請求項７】
前記腹部断面画像として表示させるための処理は、前記抽出された前記皮下脂肪の撮影画像に前記内臓脂肪の撮影画像を重ね合わせる処理を行なうための合成処理を含む、請求項６に記載の健康管理装置。
【請求項８】
前記第３の記憶装置および前記第４の記憶装置に前記撮影画像と関連付けて記憶される前記脂肪値は、前記測定された前記被写体の内臓脂肪量、皮下脂肪量、除脂肪量、およびこれらのいずれかの組み合わせによる割合のうちの少なくとも１つの値である、請求項６または７に記載の健康管理装置。
【請求項９】
被験者の腹部の縦幅と横幅とを測定するための第１の測定装置と、
インピーダンスを使用して、被験者の内臓脂肪、皮下脂肪、および除脂肪に関する値である脂肪値を測定するための第２の測定装置と、
前記第１の測定装置での測定結果および前記第２の測定装置での測定結果のうちのいずれかをそれぞれ用いた第１の指標および第２の指標で規定される、各状態の腹部断面の画像を記憶するための第５の記憶装置と、
前記被験者の腹部断面画像を特定して表示装置に表示する処理を実行するための表示処理装置とを備え、
前記表示処理装置で実行される処理は、
前記測定された、前記第１の指標についての情報および第２の指標についての情報の、それぞれのランクを決定するためのランク決定処理と、
前記ランクに従って、前記第１の指標および前記第２の指標をそれぞれ縦軸および横軸とした空間に、前記第５の記憶装置に記憶される前記画像のうちの前記測定された情報と対応する前記画像と、少なくともその周囲に該当する画像とを配置し、前記測定された情報と対応する前記画像を他の前記画像と異ならせて表示させるための処理とを含む、健康管理装置。
【請求項１０】
前記第１の指標および前記第２の指標をそれぞれ縦軸および横軸とした空間に前記第５の記憶装置に記憶される前記画像のうちの前記測定された情報と対応する前記画像と少なくともその周囲に該当する画像とを配置して表示させるための処理においては、前記測定された情報と対応する画像と共に、人のシルエットも表示させる、請求項９に記載の健康管理装置。
【請求項１１】
前記第１の指標および前記第２の指標をそれぞれ縦軸および横軸とした空間に前記第５の記憶装置に記憶される前記画像のうちの前記測定された情報と対応する前記画像と少なくともその周囲に該当する画像とを配置して表示させるための処理においては、前記測定された情報と対応する画像と共に、前記測定結果を表わす値も表示させる、請求項９または１０に記載の健康管理装置。
【請求項１２】
前記測定結果を記憶するための第６の記憶装置をさらに含み、
前記第１の指標および前記第２の指標をそれぞれ縦軸および横軸とした空間に前記第５の記憶装置に記憶される前記画像のうちの前記測定された情報と対応する前記画像と少なくともその周囲に該当する画像とを配置して表示させるための処理においては、前記第５の記憶装置に記憶される画像のうち、前記第６の記憶装置に記憶されている前回の測定結果に対応する画像と、今回の測定結果に対応する画像とをそれぞれ他の前記画像と異ならせて表示させ、さらに、それらの間に、その遷移を明示する表示をさせる、請求項９から１１のいずれかに記載の健康管理装置。
【請求項１３】
前記第１の指標および前記第２の指標は、腹部断面の縦幅と横幅、内臓脂肪に関する情報、皮下脂肪に関する情報、除脂肪に関する情報、内臓脂肪量と皮下脂肪量との比率、および腹部周長のうちのいずれかである、請求項９から１１のいずれかに記載の健康管理装置。
【請求項１４】
第１電極対と、
第２電極対と、
前記第１電極対の電極間に供給する電流を生成するための電流生成部と、
前記第１電極対の電極間に通電した状態で前記第２電極対の電極間の電位差を検出するための電位差検出部とをさらに含み、
前記第２の測定装置は、前記第２電極対に通電して被験者の腹部の体軸方向について前記第１電極対により検出された電位差に基づいて、前記被験者の内臓脂肪量、皮下脂肪量、および除脂肪量を算出する、請求項１から１３のいずれかに記載の健康管理装置。